(57)【要約】      （修正有）【課題】使用者が他人の助力なしに、排泄物のクリーニング作業をできる排泄物クリーニング装置を提供する。【解決手段】排泄物クリーニング装置は、外部被覆クロス１、インナーアセンブリー２及び排泄物クリーニングマシンを含む。外部被覆クロスの内部に第一継ぎ手１０を設け、そのボトムに第一開口１１を設置する。インナーアセンブリーはカップ状を呈し、使用者の膀胱位置から鼠蹊部に沿って尾椎の下に伸び、第二継ぎ手２０、第二開口２１、少なくとも一つのセンサー２２及び洗浄アセンブリーを含む。第二継ぎ手は第一継ぎ手と接続する。第二開口は第一開口に対応して、インナーアセンブリーのボトムに設けられ、パイプ３０を通じて排泄物クリーニングマシンに接続する。少なくとも一つのセンサーは排泄物を検知し、排泄物クリーニングマシンを駆動し、洗浄アセンブリーは排泄物クリーニングマシンに接続され、使用者を洗浄するのに用いられる。【選択図】図１
2019134913.tif 000002
【特許請求の範囲】
【請求項１】
排泄物クリーニングマシンと
その内部に少なくとも一つの第一継ぎ手が設けられ、そのボトムに第一開口が設けられ、前記第一開口の位置は使用者の肛門位置に対応する外部被覆クロス、及び、
カップ状を呈し、前記使用者の膀胱位置から鼠蹊部に沿って後ろへ尾椎の下に伸びるインナーアセンブリーを含み、
該インナーアセンブリーは、
前記第一継ぎ手と接続される第二継ぎ手と、
前記第一開口の位置に対応して、前記インナーアセンブリーのボトムに設けられ、また、１本のパイプを通じて前記排泄物クリーニングマシンに接続する第二開口と、
前記インナーアセンブリーの内部に設けられ、また、前記排泄物クリーニングマシンと電気的に接続され、排泄物の検知と前記排泄物クリーニングマシンの駆動に用いられ、前記パイプを通じて前記排泄物を前記排泄物クリーニングマシンに収集する少なくとも一つのセンサー、及び、
前記排泄物クリーニングマシンに接続され、前記使用者を洗浄する洗浄アセンブリーを含むことを特徴とする排泄物クリーニング装置。
【請求項２】
前記少なくとも一つのセンサーは、前記第二開口の傍に設けられる第一センサー、及び前記インナーアセンブリーの後にある内壁に設けられる第二センサーを含むことを特徴とする請求項１に記載の排泄物クリーニング装置。
【請求項３】
前記排泄物クリーニングマシンの中に吸引モーター及び収集バケツが設けられ、前記第一センサー又は前記第二センサーが前記排泄物を検知すると、前記パイプを通じて前記排泄物を前記吸引モーターによって前記排泄物の収集バケツに吸い込むことを特徴とする請求項２に記載の排泄物クリーニング装置。
【請求項４】
前記インナーアセンブリーの前記カップ状は一つのフロントエンド部と一つのバックエンド部を有し、前記フロントエンド部は前記使用者をカバーする膀胱位置に対応し、前記バックエンドは前記使用者の臀部に位置し、前記フロントエンド部と前記バックエンド部と１本の導流通路で接続されることを特徴とする請求項１に記載の排泄物クリーニング装置。
【請求項５】
前記少なくとも一つのセンサーは前記第二開口の傍に設けられる第一センサー、及び前記バックエンド部の後にある内壁に設けられる第二センサーを含むことを特徴とする請求項４に記載の排泄物クリーニング装置。
【請求項６】
前記洗浄アセンブリーは前記フロントエンド部の前記導流通路に近い位置に設置され、また、１本の第一水管を通じて前記排泄物クリーニングマシンの一つのタンクと接続するフロントエンドノズルと、
前記バックエンド部に設置され、また、１本の第二水管を通じて前記排泄物クリーニングマシンの前記タンクと接続するバックエンドノズルと、及び
前記導流通路の位置に設置され、また、１本のガスを通じて前記排泄物クリーニングマシンのホットエアプロセッサーと接続されるホットエアアウトレットを含むことを特徴とする請求項４に記載の排泄物クリーニング装置。
【請求項７】
前記ホットエアアウトレットは一つのカバー部を有することを特徴とする請求項６に記載の排泄物クリーニング装置。
【請求項８】
前記排泄物クリーニングマシンは一つのエアポンプを含み、前記エアポンプは前記第二水管を通じて前記バックエンドノズルに接続されることを特徴とする請求項７に記載の排泄物クリーニング装置。
【請求項９】
排泄物クリーニング方法であって、
少なくとも一つのセンサーは使用者が着用しているパンツに排泄物があることを検知した場合、
検知した前記排泄物によって小便モード又は大便モードを設定することと、
判断して排泄物クリーニング装置を男性モード又は女性モードに設定することと、
男性モードの場合、前記排泄物クリーニング装置はバックエンドノズルを駆動して前記使用者の肛門に対し、噴水して洗い流し、また、フロントエンドノズルを駆動して前記パンツの前部を洗い流すことと、
前記排泄物と洗い流した汚水を一緒に収集バケツに吸い込むと同時に、排泄物の臭気を濾過することと、
前記パンツの内部に対し、エアをブローし、前記使用者の皮膚に付着した汚水を除去することと、及び、
前記パンツの内部にホットエアを導入し、前記パンツを乾燥させることを含む排泄物クリーニング方法。
【請求項１０】
前記排泄物クリーニング装置が前記女性モードである時、前記バックエンドノズルを駆動して前記使用者の肛門及び泌尿器を洗い流すことを特徴とする請求項９に記載の排泄物クリーニング方法。
【請求項１１】
前記男性モードと女性モードは使用者の実際の性別によって予め設定しておくことを特徴とする請求項９に記載の排泄物クリーニング方法。
【請求項１２】
切り替えルールを更に含み、前記少なくともセンサーは、第一センサー及び第二センサセンサーを含み、該切り替えルールは、
第一センサーが前記排泄物を検知した時、前記排泄物クリーニング装置を前記小便モードに設定すること、
前記小便モードにおいて、前記第二センサーが前記排泄物を検知した時、前記小便モードを大便モードに切り替えること、
及び前記大便モードにおいて、前記第一センサーが前記排泄物を検知した場合、大・小便モードの切り替えを行わないことを含む請求項９に記載の排泄物クリーニング方法。
【発明の詳細な説明】
【技術分野】
【０００１】
本発明はクリーニング装置に関し、特に、排泄物を自力で処理できない使用者に用いられる排泄物クリーニング装置及びその方法に関する。
【背景技術】
【０００２】
寝たきりの状態になって、ベッドから起きられない患者は自立排泄ができない。介護者又は家族の助けによって、大・小便をきれいに除去し、衛生を保っている。よく見られる方法は、おむつを使用することであり、汚れたら交換して、下半身を洗浄・払拭してから新しいおむつに交換するが、多くの患者にとっては快適ではなく、精神面や尊厳にも関わり、心理的な抵抗を感じる。
【０００３】
但し、一部のメーカーは設備又は機器を開発し、マシンを通じてスマート洗浄を行い、おむつに替えたいと考えているが、現在まで、既存の欠点として、排泄の必要がある場合、介護者の助けによってこれらの設備を患者の体に着用し、排泄と洗浄作業が終わった後、取り外す必要があり、使用上おむつより簡単ではなく、想像以上に難しいものである。衛生面で問題が生じがちである。
【０００４】
このため、完全に自動で排泄物をクリーニングでき、排泄物を効果的にクリーニングすると同時に、行動が不自由な患者の要求を満足でき、着用が快適で衛生的な設備・装置を開発することは、関係メーカーの目指す目標である。
【発明の概要】
【発明が解決しようとする課題】
【０００５】
前記欠点に鑑みて、新規な排泄物クリーニング装置の開発に成功した。本発明の特徴は、排泄物クリーニング装置が、排泄物収集機能と使用者の下半身とパンツの洗浄機能を統合し、使用者が他人の助力なしに、手軽で便利に排泄物のクリーニング作業を行うことができることである。
【０００６】
一つの実施例に示すように、本発明の排泄物クリーニング装置は、外部被覆クロス、インナーアセンブリー及び排泄物クリーニングマシンを含む。外部被覆クロスの内部に少なくとも一つの第一継ぎ手が設けられ、また、そのボトムに第一開口が設置され、第一開口の位置は使用者の肛門位置に対応する。インナーアセンブリーはカップ状を呈し、使用者の膀胱位置から鼠蹊部に沿って後ろへ尾椎の下に伸び、また、第二継ぎ手、第二開口、少なくとも一つのセンサー及び洗浄アセンブリーを含む。
【０００７】
第二継ぎ手は前記第一継ぎ手と接続する。第二開口は第一開口に対応し、インナーアセンブリーのボトムに設けられ、また、１本のパイプを通じて排泄物クリーニングマシンと接続する。少なくとも一つのセンサーは排泄物を検知し、また、排泄物クリーニングマシンを駆動し、洗浄アセンブリーは排泄物クリーニングマシンに接続され、使用者の洗浄に用いられる。
【０００８】
本発明のもう一つのカテゴリーによれば、一種の排泄物クリーニング方法であって、使用者は他人の助力なしに、衛生で快適に排泄物クリーニング作業を行うことができる。一つの実施例に示すように、排泄物クリーニング方法として、少なくとも一つのセンサーが使用者が着用しているパンツに排泄物があることを検知した場合、その処理プロセスは、洗い流し工程ステップ、吸引工程ステップ、ブロー工程ステップ及び乾燥工程ステップを含む。
【０００９】
洗い流し工程ステップは下記に示すとおりである。検知した排泄物によって小便モード又は大便モードを設定すること、判断して排泄物クリーニング装置を男性モード又は女性モードを設定すること、男性モードの場合、排泄物クリーニング装置はバックエンドノズルを駆動して使用者の肛門に対し噴水して洗い流し、また、フロントエンドノズルを駆動してパンツの前部を洗い流すこと、排泄物クリーニング装置は女性モードに設定された場合、バックエンドノズルを駆動して使用者の肛門及び泌尿器を洗い流すこと。
【００１０】
このため、構造とフローによって、他人の助力なしに、寝たきりの患者は快適な自立洗浄作業を行うことができる。
【図面の簡単な説明】
【００１１】
【図１】本発明の排泄物クリーニング装置の着用イメージ図である。
【図２】本発明の排泄物クリーニングマシンの構造図である。
【図３】本発明のインナーアセンブリーの側面図である。
【図４】図３の上面図である。
【図５】本発明の排泄物クリーニング方法のフローチャートである。
【図６】本発明の排泄物クリーニング方法のモード切り替え状態を示すものである。
【発明を実施するための形態】
【００１２】
図１及び図２を参照されたい。図１は本発明の排泄物クリーニング装置の着用イメージ図であり、図２は本発明の排泄物クリーニングマシンの構造図である。
【００１３】
実施例に示すように、本発明の排泄物クリーニング装置は、外部被覆クロス１、インナーアセンブリー２及び排泄物クリーニングマシン３を含む。図１に示すように、外部被覆クロス１はパンツのスタイルであり、使用者の臀部６０に着用され、外部被覆クロス１の内部に少なくとも一つの第一継ぎ手が設けられ、また、そのボトムに一つの第一開口１１が設置され、第一開口１１の位置は使用者の肛門位置に対応する。インナーアセンブリー２はカップ状を呈し、使用者の膀胱位置から鼠蹊部（太もも６１の内側）に沿って後ろへ尾椎の下に伸びる。第二継ぎ手２０は第一継ぎ手１０と接続され、インナーアセンブリー２と外部被覆クロス１を接続させ、外部被覆クロス１と前記インナーアセンブリー２でパンツを形成させる。実施例に示すように、第一継ぎ手１０と前記第二継ぎ手２０はマジックテープ(登録商標)を含むが、これに限定されない。
【００１４】
インナーアセンブリー２は、第二継ぎ手２０、第二開口２１、少なくとも一つのセンサー２２及び洗浄アセンブリー２３を有する。第二開口２１は第一開口１１の位置に対応し、インナーアセンブリー２のボトムに設けられ、第二開口２１は１本のパイプ３０を通じて排泄物クリーニングマシン３に接続される。少なくとも一つのセンサー２２はインナーアセンブリー２の内部に設けられ、また、排泄物クリーニングマシン３と電気的に接続され、排泄物の検知と排泄物クリーニングマシン３の駆動に用いられ、パイプ３０を通じて、排泄物を排泄物クリーニングマシン３に収集する。洗浄アセンブリー２３は排泄物クリーニングマシン３と接続され、使用者を洗浄する。
【００１５】
また、図３及び図４に示すように、インナーアセンブリー２のカップ状は一つのフロントエンド部２４及び一つのバックエンド部２５を有する。フロントエンド部２４は使用者の膀胱をカバーする位置に対応し、バックエンド部２５は使用者の臀部に位置し、フロントエンド部２４とバックエンド部２５とは１本の導流通路２６より接続される。導流通路２６は尿の排泄物をフロントエンド部２４よりバックエンド部２５に導く。
【００１６】
少なくとも一つのセンサー２２は、第一センサー２２１及び第二センサー２２２を含む。本実施例に示すように、第一センサー２２１は第二開口２１に設けられ、一種の排泄物（例えば尿）が第二開口２１の前に流れ込む時、第一センサー２２１はそれを検知して、また、排泄物クリーニングマシン３に知らせる。第二センサー２２２は、インナーアセンブリー２の後の内壁に設けられ、一種の排泄物（例えば大便）が第二センサー２２２の検知範囲に落ちる際、第二センサー２２２はそれを検知し、また、排泄物クリーニングマシン３に知らせ、それを駆動する。
【００１７】
図２に示すように、排泄物クリーニングマシン３の中に吸引モーター３１及び収集バケツ３２が設けられる。第一センサー２２１又は第二センサー２２２が排泄物を検知すると、排泄物はパイプ３０を通じて吸引モーター３１より収集バケツ３２に吸い込まれる。
【００１８】
図３から図５まで示すように、図３は本発明のインナーアセンブリーの側面図であり、図４は図３の上面図である。図３と図４に示すように、洗浄アセンブリー２３はフロントエンドノズル２３１を含み、フロントエンドノズル２３１はフロントエンド部２４に設置され、また、１本の第一水管３３を通じて排泄物クリーニングマシン３のタンク３４に接続される。第一水管３３はウォーターポンプ３９を通じて、タンク３４の水をフロントエンドノズル２３１に導き、フロントエンドノズル２３１よりインナーアセンブリー２の内壁を前から後ろへスプレー洗浄する。
【００１９】
図２及び図４に示すように、洗浄アセンブリー２３はバックエンドノズル２３２及びホットエアアウトレット２３３を含む。バックエンドノズル２３２はバックエンド部２５に設置され、また、第二水管３５を通じて排泄物クリーニングマシン３のタンク３４と接続し、第二水管３５はウォーターポンプ３９を通じてタンク３４の水をバックエンドノズル３３２に導き、バックエンドノズル２３２より使用者の肛門又は泌尿器を洗い流す。
【００２０】
より良好な洗浄効果を達成させるため、排泄物クリーニングマシン３はさらにエアポンプ３８を含み、エアポンプ３８は第二水管３５を通じてバックエンドノズル２３２に接続され、排泄物が吸収され排泄物収集バケツ３２に貯蔵されたり、泌尿器と肛門が水で洗い流された後、エアポンプ３８は外部空気を吸い込んで泌尿器と肛門をブローし、付着した汚水を除去する。
【００２１】
ホットエアアウトレット２３３は導流通路２６に設置され、また、エアパイプ３６を通じて排泄物クリーニングマシン３のホットエアプロセッサー３７に接続され、ホットエアプロセッサー３７はホットエアを生じることができ、また、エアパイプ３６によりインナーアセンブリー２の中に導入して乾燥する。
【００２２】
なお、ホットエアアウトレット２３３は導流通路２６に設置され、大量の尿排泄物又は液体が導流通路２６を流れることを回避するため、ホットエアアウトレット２３３は少しインナーアセンブリー２の内部に伸び、カバー部２３４を形成し、使用者はベッドに寝たきりになった場合、横たわった姿勢で、導流通路２６を流れる尿は大部分が直接バックエンド部２５に落ちる。
【００２３】
図５に示すように、図５は本発明の排泄物クリーニング方法のフローチャートである。本発明の排泄物クリーニング方法は性別の異なった使用者に基づき、異なった排泄物（例えば、尿又は大便）によってダイナミックに排泄物クリーニングの処理プロセスを決める。一つの実施例に示すように、一種の排泄物クリーニング方法として、少なくとも一つのセンサーは使用者が着用しているパンツに一種の排泄物があることを検知した場合、下記のステップを実行する。
Ｓ１００：検知した排泄物によって小便モード又は大便モードを設定すること。
Ｓ１０１：判断して排泄物クリーニング装置を男性モード又は女性モードに設定すること。
Ｓ１０２：男性モードの場合、排泄物クリーニング装置はバックエンドノズルを駆動して使用者の肛門に対し、噴水して洗い流し、また、フロントエンドノズルを駆動してパンツの前部を洗い流すこと。
Ｓ１０３：排泄物と洗い流した汚水を一緒に収集バケツに吸い込むと同時に、排泄物の臭気を濾過すること。
Ｓ１０４：パンツの内部に対し、エアをブローし、使用者の皮膚に付着した汚水を除去すること。
Ｓ１０５：パンツの内部にホットエアを導入し、パンツを乾燥させること。ここで、パンツは防水材質である。
【００２４】
Ｓ１０６：排泄物クリーニング装置が女性モードである場合、バックエンドノズルを駆動して使用者の肛門及び泌尿器を洗い流す。一つの実施例として、男性モードと女性モードは使用者の実際の性別によって予め設定しておき、もちろん、女性の使用者に対しても男性モードを利用して洗浄でき、男性モードは主に男性泌尿器向けの構造であり、特別な洗い流しを必要とせず、尿が残った内壁を洗い流し、尿の臭気を除去し、パンツの清浄度を保つだけで良い。
【００２５】
図６に示すように、図６は本発明の排泄物クリーニング方法のモード切り替えルールの状態図である。大便モードと小便モードは主に二つのセンサー（第一センサー及び第二センサー）によって、それぞれ排泄物の種類を判断し、また、種類に基づき、対応する時間と水量などのパラメーターを与え、洗浄さを確保する。このため、排泄物クリーニング方法はまた、切り替えルールを設定する。その内容は下記の通りである。
Ｓ２０１：第一センサーが排泄物を検知した時、排泄物クリーニング装置を小便モードに設定すること。
Ｓ２０２：小便モードにおいて、第二センサーが排泄物を検知した時、小便モードを大便モードに切り替えること。
Ｓ２０３：大便モードにおいて、第一センサーが排泄物を検知した場合、大・小便モードの切り替えを行わないこと。
【００２６】
切り替えルールによって、本発明のクリーニング方法は大・小便モードの切り替えミスを回避することができ、大便状態の下で、小便モードで洗浄作業を行わないことを確保する。
【００２７】
このため、本発明の構造とフローによって、寝たきりの患者は他人の助力なしに、快適な自立洗浄作業を行うことができる。
【符号の説明】
【００２８】
１  外部被覆クロス
１０  第一継ぎ手
１１  第一開口
２  インナーアセンブリー
２０  第二継ぎ手
２１  第二開口
２２  少なくとも一つのセンサー
２２１  第一センサー
２２２  第二センサー
２３  洗浄アセンブリー
２３１  フロントエンドノズル
２３２  バックエンドノズル
２３３  ホットエアアウトレット
２３４  カバー部
２４  フロントエンド部
２５  バックエンド部
２６  導流通路
３  排泄物クリーニングマシン
３０  パイプ
３１  吸引モーター
３２  収集バケツ
３３  第一水管
３４  タンク
３５  第二水管
３６  エアパイプ
３７  ホットエアプロセッサー
３８  エアポンプ
３９  ウォーターポンプ
６０  臀部
６１  太もも
【図１】
2019134913.tif 000003
【図２】
2019134913.tif 000004
【図３】
2019134913.tif 000005
【図４】
2019134913.tif 000006
【図５】
2019134913.tif 000007
【図６】
2019134913.tif 000008